Podtech/llm-jp-corpus-v4-ja_patent huggingface dataset:
【手続補正書】
【提出日】平成22年12月3日(2010.12.3)
【手続補正１】
【補正対象書類名】特許請求の範囲
【補正対象項目名】全文
【補正方法】変更
【補正の内容】
【特許請求の範囲】
【請求項１】
透光性を有した基材フィルムと、前記基材フィルムの一方の側の面上に設けられ透光性を有する第１導電層と、前記基材フィルムの他方の側の面上に設けられ透光性を有する第２導電層と、前記第１導電層上に設けられ遮光性を有する遮光層と、を有する積層体の前記遮光層側の面上に感光性を有する第１感光層を形成し、前記積層体の他方の側の面上に感光性を有する第２感光層を形成する工程と、
前記第１感光層上に第１マスクを配置するとともに前記第２感光層上に第２マスクを配置した状態で、前記第１感光層および前記第２感光層を互いに異なるパターンで同時に露光する工程と、
前記第１感光層および前記第２感光層を現像してパターニングする工程と、
パターニングされた前記第１感光層をマスクとして前記遮光層をエッチングして、前記遮光層をパターニングする工程と、
パターニングされた前記第１感光層および前記遮光層をマスクとして、前記第１導電層をエッチングするとともに、パターニングされた前記第２感光層をマスクとして、前記第２導電層をエッチングして、前記第１導電層および前記第２導電層を互いに異なるパターンにパターニングする工程と、
前記第１導電層および前記第２導電層をパターニングした後に行われる工程であって、前記パターニングされた前記第１感光層および前記第２感光層を除去する工程と、
前記第１感光層および第２感光層を除去する工程の後に行われる工程であって、前記パターニングされた前記遮光層を除去する工程と、を備える
ことを特徴とするタッチパネルセンサの製造方法。
【請求項２】
透光性を有した基材フィルムと、前記基材フィルムの一方の側の面上に設けられ透光性を有する第１導電層と、前記基材フィルムの他方の側の面上に設けられ透光性を有する第２導電層と、前記１導電層上に設けられ遮光性を有する第１遮光層と、前記２導電層上に設けられ遮光性を有する第２遮光層と、を有する積層体の一方の側の面上に感光性を有する第１感光層を形成し、前記積層体の他方の側の面上に感光性を有する第２感光層を形成する工程と、
前記第１感光層上に第１マスクを配置するとともに前記第２感光層上に第２マスクを配置した状態で、前記第１感光層および前記第２感光層を互いに異なるパターンで同時に露光する工程と、
前記第１感光層および前記第２感光層を現像してパターニングする工程と、
パターニングされた前記感光層をマスクとして前記第１遮光層および前記第２遮光層をエッチングして、前記第１遮光層および前記第２遮光層をパターニングする工程と、
パターニングされた前記感光層および前記遮光層をマスクとして、前記第１導電層および前記第２導電層をエッチングして、前記第１導電層および前記第２導電層を互いに異なるパターンにパターニングする工程と、
前記第１導電層および前記第２導電層をパターニングした後に行われる工程であって、前記パターニングされた前記第１感光層および前記第２感光層を除去する工程と、
前記第１感光層および第２感光層を除去する工程の後に行われる工程であって、前記パターニングされた前記第１遮光層および前記第２遮光層を除去する工程と、を備える
ことを特徴とするタッチパネルセンサの製造方法。
【請求項３】
前記第１感光層および前記第２感光層を露光する工程において、前記第１マスクに設けられた位置決めマークおよび前記第２マスクに設けられた位置決めマークを基準として、前記第１マスクおよび前記第２マスクが互いに対して位置決めされる
ことを特徴とする請求項１または２に記載のタッチパネルセンサの製造方法。
【請求項４】
透光性を有した基材フィルムと、前記基材フィルムの一方の側の面上に設けられ透光性を有する第１導電層と、前記基材フィルムの他方の側の面上に設けられ透光性を有する第２導電層と、前記第１導電層上に設けられ遮光性を有する遮光層と、を有する積層体を用意する工程と、
前記積層体の前記遮光層側の面上に感光性を有する第１感光層を形成し、前記積層体の他方の側の面上に感光性を有する第２感光層を形成する工程と、
前記第１感光層上に第１マスクを配置するとともに前記第２感光層上に第２マスクを配置した状態で、前記第１感光層および前記第２感光層を互いに異なるパターンで同時に露光する工程と、
前記第１感光層および前記第２感光層を現像してパターニングする工程と、
パターニングされた前記第１感光層をマスクとして、前記第１導電層までエッチングして第１導電層をパターニングし、パターニングされた前記第２感光層をマスクとして、前記第２導電層をエッチングして前記第２導電層をパターニングする工程と、
を有することを特徴とするタッチパネルセンサの製造方法。
【請求項５】
透光性を有した基材フィルムと、前記基材フィルムの一方の側の面上に設けられ透光性を有する第１導電層と、前記基材フィルムの他方の側の面上に設けられ透光性を有する第２導電層と、前記１導電層上に設けられ遮光性を有する第１遮光層と、前記２導電層上に設けられ遮光性を有する第２遮光層と、を有する積層体を用意する工程と、
前記積層体の前記第１遮光層側の面上に感光性を有する第１感光層を形成し、前記積層体の前記第２遮光層側の面上に感光性を有する第２感光層を形成する工程と、
前記第１感光層上に第１マスクを配置するとともに前記第２感光層上に第２マスクを配置した状態で、前記第１感光層および前記第２感光層を互いに異なるパターンで同時に露光する工程と、
前記第１感光層および前記第２感光層を現像してパターニングする工程と、
パターニングされた前記第１感光層をマスクとして、前記第１導電層までエッチングして第１導電層をパターニングし、パターニングされた前記第２感光層をマスクとして、前記第２導電層までエッチングして前記第２導電層をパターニングする工程と、
を有することを特徴とするタッチパネルセンサの製造方法。
【請求項６】
前記現像された前記第１感光層および前記第２感光層を除去する工程を、さらに有する
ことを特徴とする請求項４または５に記載のタッチパネルセンサの製造方法。
【請求項７】
前記感光層をマスクとしてエッチングされた後の遮光層を除去する工程をさらに有することを特徴とする請求項４〜６のいずれか一項に記載のタッチパネルセンサの製造方法。
【請求項８】
タッチパネルセンサを作製するために用いられる積層体であって、
透光性を有した単一体としての基材フィルムと、
前記基材フィルムの一方の側の面上に設けられ透光性を有する第１導電層と、
前記基材フィルムの他方の側の面上に設けられ透光性を有する第２導電層と、
前記第１導電層および前記第２導電層の少なくとも一つの層上に設けられ遮光性を有する遮光層と、を備える
ことを特徴とする積層体。
【請求項９】
前記第１導電層上に第１遮光層が設けられ、前記第２導電層上に第２遮光層が設けられている
ことを特徴とする請求項８に記載の積層体。
【手続補正書】
【提出日】平成23年6月16日(2011.6.16)
【手続補正１】
【補正対象書類名】明細書
【補正対象項目名】発明の名称
【補正方法】変更
【補正の内容】
【発明の名称】ノイズ解析設計方法およびノイズ解析設計装置
【手続補正２】
【補正対象書類名】明細書
【補正対象項目名】００２５
【補正方法】変更
【補正の内容】
【００２５】
この定義された伝搬の主経路に基づいて、伝搬の主経路を分割し（ステップ３０１２）、この分割された部位をＳ（ノイズ源）、Ｐ（経路）、Ａ（アンテナ）に割り付ける（ステップ３０１３）。すなわち、Ｅ（放射電界）を回路解析により求めるために、製品の各部位をＥ＝ＳＰＡに分類する。そして、Ｅ＝ＳＰＡの分類に従ったひな型等価回路を作成する（ステップ３０１４）。
【手続補正３】
【補正対象書類名】特許請求の範囲
【補正対象項目名】全文
【補正方法】変更
【補正の内容】
【特許請求の範囲】
【請求項１】
電気装置のノイズ解析設計方法において、
電気装置の指定された電気エネルギーの伝搬の主経路を、部位に分割するステップと、
前記分割された各部位を、要素に分類するステップと、
前記分類に基づいて、前記各部位の等価回路を作成するステップと、
前記等価回路の回路定数を算出し、回路定数データベースを作成するステップと、
入力された解析対象の電気装置の情報と、前記回路定数データベースとに基づいて、電界強度を算出するステップとを、
計算機が行うことを特徴とするノイズ解析設計方法。
【請求項２】
請求項１において、
前記等価回路を組み合わせて、前記電気装置のひな型等価回路を作成するステップを含み、
前記回路定数データベースを作成するステップは、前記ひな型等価回路の回路定数を算出することにより行うことを特徴とするノイズ解析設計方法。
【請求項３】
請求項１または２において、
前記要素は、ノイズ源、伝搬経路及びアンテナを含むことを特徴とするノイズ解析設計方法。
【請求項４】
請求項１乃至３のいずれかにおいて、
前記電気エネルギーの伝搬の主経路の部位は、容量性結合または誘電性結合により結合される経路を含むことを特徴とするノイズ解析設計方法。
【請求項５】
請求項１乃至４のいずれかにおいて、
前記解析対象の電気装置の情報は、ノイズ源の情報と、前記各部位の寸法の情報とを含むことを特徴とするノイズ解析設計方法。
【請求項６】
電気装置のノイズを解析するノイズ解析設計装置において、
電気装置の電気エネルギー伝搬の経路が部位ごとに等価回路化され、その要素及び回路定数を含む等価回路のデータを格納した回路定数データベースを有する記憶手段と、
入力された解析対象の電気装置の情報と、前記回路定数データベースとに基づいて、前記電気装置の電気エネルギー伝搬の経路が発生する電界強度を算出する演算手段とを備えたことを特徴とするノイズ解析設計装置。
【手続補正書】
【提出日】平成23年6月28日(2011.6.28)
【手続補正１】
【補正対象書類名】明細書
【補正対象項目名】０００６
【補正方法】変更
【補正の内容】
【０００６】
例えば、ホワイトボードの外形が長方形であるという前提に立ち、ホワイトボードの各辺を撮影し、撮影されたホワイトボードの長方形の変形度合いから、撮影の視点のズレを検出し、このズレを打ち消すように歪みを補正する。
【手続補正２】
【補正対象書類名】明細書
【補正対象項目名】００２２
【補正方法】変更
【補正の内容】
【００２２】
撮像装置１、２は、被写体Ｐの光学像をイメージセンサ１ｂ、２ｂに導く撮像光学系１ａ、２ａ、撮像光学系１ａ、２ａを介して結像した光学像を受光量に対応付けて電気信号に変換するイメージセンサ１ｂ、２ｂ、イメージセンサ１ｂ、２ｂから出力した電気信号を記憶する画像メモリ１ｃ、２ｃ等によって構成されている。
【手続補正３】
【補正対象書類名】明細書
【補正対象項目名】００２９
【補正方法】変更
【補正の内容】
【００２９】
この際、平面方向（撮像装置１、２から計測対象に向かう光軸方向に直交する平面）の分解能をΔＸＹ、奥行方向（撮像装置１、２から計測対象に向かう光軸方向）の分解能をΔＺ、撮像装置１及び撮像装置２の画像分解能（１ピクセルの大きさ）をΔｐ、撮影距離をＬとすると、（式５）、（式６）を用いて、夫々の分解能を求めることができる。
ΔＸＹ＝（Ｌ／ｃ）×Δｐ  …  （式５）
ΔＺ＝（Ｌ／Ｂ）×ΔＸＹ  …  （式６）
【手続補正４】
【補正対象書類名】明細書
【補正対象項目名】００４０
【補正方法】変更
【補正の内容】
【００４０】
以上のように、本実施例に記載の画像補正装置１００は、被写体Ｐをステレオ撮影する一対の撮像装置１、２、ステレオ撮影によって得られた一対の画像間の対応点を抽出する対応点抽出部４、対応点の画像座標に基づいて、対応点に対応する被写体Ｐの３次元座標を算出する対応点空間座標算出部５ａ、対応点空間座標算出部５ａで算出された３次元座標に基づいて、被写体Ｐの３次元座標を２次元座標に射影変換する際の変換係数（ａ１〜ａ８）を算出する射影変換係数算出部５ｂ、変換係数に基づいて、撮影された画像の座標毎に３次元座標を算出する画素毎空間座標算出部５ｃ、画素毎空間座標算出部５ｃで算出された３次元座標に基づいて、３次元座標が構成される３次元空間上の平面に対する撮像装置１、２の傾斜角（Φ、θ）を算出する傾斜角算出部６ｂ、傾斜角算出部６ｂで算出された傾斜角（Φ、θ）に基づいて、傾斜角（Φ、θ）を打ち消すように３次元座標を補正する空間座標回転補正部６ｃ、空間座標回転補正部６ｃで補正された３次座標に対応付けて、撮影された画像を補正して被写体Ｐを正面から撮影した画像を生成する正面画像生成部７、等を備えている。
【手続補正５】
【補正対象書類名】明細書
【補正対象項目名】００４２
【補正方法】変更
【補正の内容】
【００４２】
次に、図４を用いて、本発明の一実施例の画像補正方法の手順を説明する。この手順は、図示されないＣＰＵが図示されないＲＯＭに格納されたプログラムにもとづいて、各機能部に指令信号を与えて実行する。また、図４におけるＳは、ステップを表している。
【手続補正６】
【補正対象書類名】明細書
【補正対象項目名】００５５
【補正方法】変更
【補正の内容】
【００５５】
以上のように、本実施例に記載の画像補正方法は、被写体Ｐをステレオ撮影する一対の撮像装置１、２、ステレオ撮影によって得られた一対の画像間の対応点を抽出する対応点抽出ステップ（Ｓ１３０）、対応点の画像座標に基づいて、対応点に対応する被写体Ｐの３次元座標を算出する３次元座標算出ステップ（Ｓ１４０）、３次元座標算出ステップ（Ｓ１４０）で算出された３次元座標に基づいて、被写体Ｐの３次元座標を２次元座標に射影変換する際の変換係数を算出する射影変換係数算出ステップ（Ｓ１５０）、変換係数に基づいて、撮影された画像の座標毎に３次元座標を算出する第２の３次元座標算出ステップ（Ｓ１６０）、第２の３次元座標算出ステップ（Ｓ１６０）で算出された３次元座標に基づいて、３次元座標が同一の平面上に構成される３次元空間上の平面に対する撮像装置１、２の傾斜角（Φ、θ）を算出する傾斜角算出ステップ（Ｓ１８０）、傾斜角算出ステップ（Ｓ１８０）で算出された傾斜角（Φ、θ）に基づいて、傾斜角（Φ、θ）を打ち消すように、３次元座標を補正する３次元座標補正ステップ（Ｓ１９０）、３次元座標補正ステップ（Ｓ１９０）で補正された３次座標に対応付けて、撮影された画像を補正して被写体Ｐを正面から撮影した画像を生成する画像傾き補正ステップ（Ｓ２００）、等を備えている。
【手続補正７】
【補正対象書類名】図面
【補正対象項目名】図３
【補正方法】変更
【補正の内容】
【図３】
2010198554.tif 000001
【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
表示電極、誘電体層を形成した前面板と、背面板とを対向配置し、
前記誘電体層がＢｉ2Ｏ3を含有し、かつ、少なくとも２種類以上のＲ2Ｏ（ＲはＬｉ、Ｎａ、Ｋから選ばれる１種類）を含有することを特徴とするプラズマディスプレイパネル。
【請求項２】
前記２種類以上のＲ2Ｏ（ＲはＬｉ、Ｎａ、Ｋから選ばれる１種類）のモル％で表現される含有量の合計が、１％〜９％であることを特徴とする請求項１記載のプラズマディスプレイパネル。
【請求項３】
前記２種類以上のＲ2Ｏ（ＲはＬｉ、Ｎａ、Ｋから選ばれる１種類）のうち１種類はＫ2Ｏであることを特徴とする請求項２記載のプラズマディスプレイパネル。
【請求項４】
前記誘電体層のＫ2Ｏのモル％で表現される含有量が、誘電体層のＬｉ2ＯとＮａ2Ｏのモル％で表現される含有量の合計よりも多く含むことを特徴とする請求項３記載のプラズマディスプレイパネル。
【請求項５】
前記Ｂｉ2Ｏ3のモル％で表現される含有量が１％〜５％であることを特徴とする請求項１記載のプラズマディスプレイパネル。
【請求項６】
前記誘電体層が、ＣａＯとＢａＯとＣｏＯとＣｕＯとＭｏＯ3を含有することを特徴とする請求項１記載のプラズマディスプレイパネル。
【請求項７】
誘電体層のＭｏＯ3のモル％で表現される含有量が０．１％〜２％であることを特徴とする請求項６記載のプラズマディスプレイパネル。
【請求項８】
前記誘電体層が、ＣａＯのモル％で表現される含有量が、ＢａＯのモル％で表現される含有量よりも多いことを特徴とする請求項６記載のプラズマディスプレイパネル。
【請求項９】
前記誘電体層が、ＣｕＯとＣｏＯのモル％で表現される含有量の合計が０．０３％〜０．３％であることを特徴とする請求項６記載のプラズマディスプレイパネル。
【手続補正書】
【提出日】平成23年9月26日(2011.9.26)
【手続補正１】
【補正対象書類名】特許請求の範囲
【補正対象項目名】全文
【補正方法】変更
【補正の内容】
【特許請求の範囲】
【請求項１】
記憶部に記憶されたレビュー対象文書を配信する主催者レビュー端末と、通信回線を介して主催者レビュー端末と接続され、該主催者レビュー端末から受信したレビュー対象文書を表示部に表示する参加者レビュー端末とを有するレビューシステムにおいて、
通信回線を介して接続された参加者レビュー端末を識別するための端末識別情報を記憶する記憶部と、
入力部で受け付けた入力情報を前記記憶部に記憶された端末識別情報に基づいて参加者レビュー端末へ送信する配信手段とを備えた主催者レビュー端末を設け、
参加者レビュー端末が入力部で入力されたレビュー対象文書の一部もしくは全部の範囲を選択する選択範囲情報またはレビュー対象文書の一部もしくは全部に対する指摘事項情報を主催者レビュー端末へ送信し、主催者レビュー端末が受信した選択範囲情報または指摘事項情報を前記記憶部に記憶された端末識別情報で識別される参加者レビュー端末へ送信し、その選択範囲情報または指摘事項情報を参加者レビュー端末の表示部に表示させるようにしたことを特徴とするレビューシステム。
【請求項２】
記憶部に記憶されたレビュー対象文書を表示する表示部を有する複数のレビュー端末が通信回線を介して接続されたレビューシステムにおいて、
それぞれのレビュー端末に、
通信回線を介して接続されたレビュー端末を識別するための端末識別情報を記憶する記憶部と、
入力部で受け付けた入力情報を前記記憶部に記憶された端末識別情報に基づいてレビュー端末へ送信する配信手段とを設け、
レビュー端末が入力部で入力されたレビュー対象文書の一部もしくは全部の範囲を選択する選択範囲情報またはレビュー対象文書の一部もしくは全部に対する指摘事項情報を前記記憶部に記憶された端末識別情報で識別されるレビュー端末へ送信し、その選択範囲情報または指摘事項情報を該レビュー端末の表示部に表示させるようにしたことを特徴とするレビューシステム。
【請求項３】
記憶部に記憶されたレビュー対象文書を配信する主催者レビュー端末と、
通信回線を介して主催者レビュー端末と接続され、該主催者レビュー端末から受信したレビュー対象文書を表示部に表示する参加者レビュー端末とを有するレビューシステムであって、
前記主催者レビュー端末は、
通信回線を介して接続された参加者レビュー端末を識別するための端末識別情報を記憶する記憶部と、
入力部で受け付けた入力情報を前記記憶部に記憶された端末識別情報に基づいて参加者レビュー端末へ送信する配信手段と、
前記記憶部および前記配信手段を制御してレビューシステムを実行する制御手段とを備え、前記制御手段に記憶されて前記レビューシステムを実行するためのプログラムにおいて、
参加者レビュー端末が入力部で入力されたレビュー対象文書の一部もしくは全部の範囲を選択する選択範囲情報、またはレビュー対象文書の一部もしくは全部に対する指摘事項情報を、前記参加者レビュー端末から受信する受信処理と、
前記主催者レビュー端末が受信した選択範囲情報または指摘事項情報を、前記表示部に表示させるために、前記記憶部に記憶された端末識別情報で識別される参加者レビュー端末へ送信する送信処理を含むことを特徴とするレビューシステムの主催者レビュー端末が実行するプログラム。
【請求項４】
記憶部に記憶されたレビュー対象文書を表示する表示部を有する複数のレビュー端末が通信回線を介して接続されたレビューシステムであって、
前記それぞれのレビュー端末は、
前記通信回線を介して接続されたレビュー端末を識別するための端末識別情報を記憶する記憶部と、
入力部で受け付けた入力情報を前記記憶部に記憶された端末識別情報に基づいてレビュー端末へ送信する配信手段と、
前記記憶部および前記配信手段を制御してレビューシステムを実行する制御手段とを備え、前記制御手段に記憶されて前記レビューシステムを実行するためのプログラムにおいて、
前記入力部で入力されたレビュー対象文書の一部もしくは全部の範囲を選択する選択範囲情報、またはレビュー対象文書の一部もしくは全部に対する指摘事項情報を、前記表示部に表示させるために、前記記憶部に記憶された端末識別情報で識別されるレビュー端末へ送信する送信処理を実行することを特徴とするレビューシステムのレビュー端末が実行するプログラム。
【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
デバイス機能プロデューサロジック及びジョブチケットコンシューマロジックを有するコンピュータ周辺装置と、
デバイス機能コンシューマロジック及びジョブチケットプロデューサロジックを有するデバイス機能検出アプリケーションとを有し、
前記デバイス機能プロデューサロジックは、
前記コンピュータ周辺装置の機能を求めるリクエストを前記デバイス機能検出アプリケーションから受信すること、
前記リクエストを受信した時点における前記コンピュータ周辺装置の１つ以上の機能を確認すること、及び
前記コンピュータ周辺装置から前記デバイス機能検出アプリケーションへ機能に関する第１の機能説明を送ることを実行し、
前記デバイス機能コンシューマロジックは、
前記コンピュータ周辺装置から前記第１の機能説明を受信すること、
前記第１の機能説明に基づいて１つ以上のグラフィカルユーザインターフェース(GUI)要素を作成し、該GUI要素の表示をすること、及び
前記GUI要素の１つ以上の選択肢を指すユーザ入力を受信することを実行し、
前記ジョブチケットプロデューサロジックは、
前記ユーザ入力で示されている選択されたGUI要素に基づいて、前記コンピュータ周辺装置の実行するジョブを説明するジョブチケットデータを生成すること、及び
前記ジョブチケットデータを前記コンピュータ周辺装置に送ることを実行し、
前記ジョブチケットコンシューマロジックは、
前記コンピュータ周辺装置用の１つ以上のデバイス固有の処理コマンドに、前記ジョブチケットデータを変換すること、及び
前記コンピュータ周辺装置に前記処理コマンドを実行させる
ようにしたデータ処理システム。
【請求項２】
前記デバイス機能検出アプリケーションがデータ通信ロジックを更に有し、該データ通信ロジックは、前記デバイス機能検出アプリケーションから前記コンピュータ周辺装置へ、装置に依存しないジョブデータを送信するようにした請求項１記載のデータ処理システム。
【請求項３】
前記デバイス機能プロデューサロジックが或るロジックを更に有し、該ロジックは、
前記コンピュータ周辺装置の機能を求める第２のリクエストを前記デバイス機能検出アプリケーションから受信すること、
前記第２のリクエストを受信した時点における前記コンピュータ周辺装置の１つ以上の第２の機能を確認すること、及び
前記コンピュータ周辺装置から前記デバイス機能検出アプリケーションへ第２の機能説明を送ることを実行し、
前記第２の機能は前記コンピュータ周辺装置の変更された機能を含むようにした請求項１記載のデータ処理システム。
【請求項４】
前記ジョブチケットデータは、前記第１の機能の説明の一部を含む請求項１記載のデータ処理システム。
【請求項５】
前記第１の機能の説明は、前記コンピュータ周辺装置の特徴、前記特徴のプロパティに関する属性名、プロパティの値及びプロパティのオプションのリストを、ジョブ記述フォーマット(JDF)又はプリントスキーマ仕様の何れかの表現形式で含むようにした請求項１記載のデータ処理システム。
【請求項６】
前記第１の機能説明は、前記コンピュータ周辺装置の特徴及び１つ以上の制約特徴のリストを含み、前記１つ以上の制約特徴は、(a)前記機能の利用可能性に関する制限又は(b)別の機能を利用することにより又は別の機能の別の設定により要求される機能に関する設定を含むようにした請求項１記載のデータ処理システム。
【請求項７】
前記デバイス機能コンシューマロジックは或るロジックを更に有し、該ロジックは、利用可能な複数の周辺装置のリストを生成及び表示し、該利用可能な周辺装置の１つを選択していることを表す第２のユーザ入力を受信し、前記第２のユーザ入力で表現されている利用可能な周辺装置の内選択されたものにリクエストを送るようにした請求項１記載のデータ処理システム。
【請求項８】
１つ以上の命令シーケンスと共にエンコードされたコンピュータ読取可能な記憶媒体であって、該命令シーケンスは、或る手順を１つ以上のプロセッサに実行させ、該手順は、
コンピュータ周辺装置の機能を求めるリクエストをコンピュータ周辺装置に送信すること、
前記コンピュータ周辺装置から第１の機能説明を受信すること、
前記第１の機能説明に基づいて１つ以上のグラフィカルユーザインターフェース(GUI)要素を作成し、該GUI要素の表示をすること、
前記GUIの１つ以上の選択肢を指すユーザ入力を受信すること、
前記ユーザ入力で表現されている選択されたGUI要素に基づいて、前記コンピュータ周辺装置が実行するジョブを記述するジョブチケットデータを生成すること、
前記ジョブチケットデータを前記コンピュータ周辺装置へ送信すること  
を有し、前記第１の機能説明は、前記リクエストの時点におけるデバイスの１つ以上の能力、特徴又は機能を記述し、
前記ジョブチケットデータは、前記コンピュータ周辺装置が装置のコマンドに変換可能な１つ以上のデバイス設定を記述しているようにしたコンピュータ読取可能な記憶媒体。
【請求項９】
データ通信ロジックを更に有し、該データ通信ロジックは、前記コンピュータ周辺装置へ、装置に依存しないジョブデータを送信することを引き起こすようにした請求項８記載のコンピュータ読取可能な記憶媒体。
【請求項１０】
前記ジョブチケットデータは、前記第１の機能の説明の一部を含む請求項８記載のコンピュータ読取可能な記憶媒体。
【請求項１１】
前記第１の機能の説明は、前記コンピュータ周辺装置の特徴、前記特徴のプロパティに関する属性名、プロパティの値及びプロパティのオプションのリストを、ジョブ記述フォーマット(JDF)又はプリントスキーマ仕様の何れかの表現形式で含むようにした請求項８記載のコンピュータ読取可能な記憶媒体。
【請求項１２】
前記第１の機能説明は、前記コンピュータ周辺装置の特徴及び１つ以上の制約特徴のリストを含み、前記１つ以上の制約特徴は、(a)前記機能の利用可能性に関する制限又は(b)別の機能を利用することにより又は別の機能の別の設定により要求される機能に関する設定を含むようにした請求項８記載のコンピュータ読取可能な記憶媒体。
【請求項１３】
コンピュータで使用される方法であって、
コンピュータ周辺装置の機能を求めるリクエストをコンピュータ周辺装置に送信するステップと、
前記コンピュータ周辺装置から第１の機能説明を受信するステップと、
前記第１の機能説明に基づいて１つ以上のグラフィカルユーザインターフェース(GUI)要素を作成し、該GUI要素の表示を引き起こすステップと、
前記GUIの１つ以上の選択肢を指すユーザ入力を受信するステップと、
前記ユーザ入力で表現されている選択されたGUI要素に基づいて、前記コンピュータ周辺装置が実行するジョブを記述するジョブチケットデータを生成するステップと、
前記ジョブチケットデータを前記コンピュータ周辺装置へ送信するステップと、  
を有し、前記第１の機能説明は、前記リクエストの時点におけるデバイスの１つ以上の能力、特徴又は機能を記述し、
前記ジョブチケットデータは、前記コンピュータ周辺装置が装置のコマンドに変換可能な１つ以上のデバイス設定を記述しているようにしたコンピュータで使用される方法。
【手続補正書】
【提出日】平成23年7月14日(2011.7.14)
【手続補正１】
【補正対象書類名】特許請求の範囲
【補正対象項目名】全文
【補正方法】変更
【補正の内容】
【特許請求の範囲】
【請求項１】
ネットワークに接続されたプリンタを印刷サーバへインストールする装置であって、
新たなプリンタが前記ネットワークに接続されたことを自動的に検出し、該新たなプリンタが検出された後、該新たなプリンタを特定する識別情報を取得するプリンタディスカバリ部と、
前記プリンタディスカバリ部により取得された前記新たなプリンタの前記識別情報を利用して、前記新たなプリンタに対して印刷ジョブが発行されたことを示す情報を含むプリンタキューを、前記新たなプリンタに対応付けて作成するプリンタキュー作成部と、
を有する装置。 
【請求項２】
前記プリンタディスカバリ部が前記新たなプリンタからデバイスオプション情報を取得し、前記プリンタキュー作成部は、前記新たなプリンタから取得した前記デバイスオプション情報に基づいて、前記新たなプリンタの前記プリンタキューを作成するようにした請求項１記載の装置。
【請求項３】
ネットワークに接続されたプリンタを印刷サーバへインストールする装置であって、
新たなプリンタが前記ネットワークに接続されたことを自動的に検出し、該新たなプリンタが検出された後、該新たなプリンタを特定する識別情報を取得するプリンタディスカバリ部と、
前記プリンタディスカバリ部により取得された前記新たなプリンタの前記識別情報を利用し、資源管理データベース又はプリンタ情報データベースからインストーラ情報を取得することで、前記新たなプリンタ用の自動ドライバインストーラを生成し、且つ前記新たなプリンタの前記識別情報を含むプリンタ情報を、資源管理データベース又はプリンタ情報データベース内に登録するドライバインストーラ生成部と、を有し、
前記新たなプリンタについて前記資源管理データベース又はプリンタ情報データベース内に登録された前記プリンタ情報は、前記新たなプリンタについての前記自動ドライバインストーラに関する情報を含むようにした装置。
【請求項４】
ネットワークに接続されたプリンタを印刷サーバへインストールする装置であって、
新たなプリンタが前記ネットワークに接続されたことを自動的に検出し、該新たなプリンタが検出された後、該新たなプリンタを特定する識別情報を取得するプリンタディスカバリ部と、
前記プリンタディスカバリ部により取得された前記新たなプリンタの前記識別情報を利用して、前記新たなプリンタに対して印刷ジョブが発行されたことを示す情報を含むプリンタキューを、前記新たなプリンタに対応付けて作成し、且つ前記新たなプリンタの前記識別情報を含むプリンタ情報を、資源管理データベース又はプリンタ情報データベース内に登録するプリンタキュー作成部と、
を有する装置。 
【請求項５】
前記プリンタキュー作成部は、前記資源管理データベース又はプリンタ情報データベースから、前記新たなプリンタに向けられた印刷ジョブのサービスを提供する印刷サーバを示すサーバ情報を取得し、且つ前記新たなプリンタについての前記プリンタキューを前記印刷サーバに追加する請求項４記載の装置。
【請求項６】
ネットワークを介して接続された情報端末用の印刷システムであって、
少なくとも１つの印刷サーバと、
プリンタ情報データベースと、
ネットワークを介して前記少なくとも１つの印刷サーバに接続されたプリンタ自動インストレーションツールと、
を有し、前記プリンタ自動インストレーションツールは、新たなプリンタが前記ネットワークに接続されたことを検出し、該新たなプリンタが検出された後、該新たなプリンタを特定する識別情報を前記プリンタ情報データベースから取得するプリンタディスカバリ部と、
前記新たなプリンタの前記識別情報を利用することで、前記新たなプリンタに対して発行された印刷ジョブを含むプリンタキューを前記少なくとも１つの印刷サーバの内の適切なものに追加するプリンタキュー追加部と、を有するようにした印刷システム。
【請求項７】
印刷システムにおけるプリンタの自動インストレーション用の方法であって、
(a)ネットワークに接続された新たなプリンタを検出するステップと、
(b)ステップ(a)で前記新たなプリンタが検出された後、該新たなプリンタを特定する識別情報を自動的に取得するステップと、
(c)前記新たなプリンタの前記識別情報を利用することで、前記新たなプリンタに対して印刷ジョブが発行されたことを示す情報を含むプリンタキューを自動的に追加するステップと、
を有する方法。 
【手続補正２】
【補正対象書類名】明細書
【補正対象項目名】発明の名称
【補正方法】変更
【補正の内容】
【発明の名称】プリンタを自動的にインストールする装置、印刷システム及び方法
【手続補正３】
【補正対象書類名】明細書
【補正対象項目名】００１０
【補正方法】変更
【補正の内容】
【００１０】
本発明では、プリンタ又は他の画像形成装置の自動インストール用の装置、システム及び方法におけるツールが使用される。そのようなツールは、印刷装置が受け入れられ、インストールされ、オンラインでユーザが利用できる状態になるまでの待ち時間を短縮する。
一実施例による装置は、
ネットワークに接続されたプリンタをインストールする装置であって、
新たなプリンタが前記ネットワークに接続されたことを自動的に検出し、該新たなプリンタが検出された後、該新たなプリンタを特定する識別情報を取得するプリンタディスカバリ部と、
前記プリンタディスカバリ部により取得された前記新たなプリンタの前記識別情報を利用して、前記新たなプリンタに対して印刷ジョブが発行されたことを示す情報を含むプリンタキューを、前記新たなプリンタに対応付けて作成するプリンタキュー作成部と、
を有する装置である。
【手続補正書】
【提出日】平成23年2月4日(2011.2.4)
【手続補正１】
【補正対象書類名】明細書
【補正対象項目名】特許請求の範囲
【補正方法】変更
【補正の内容】
【特許請求の範囲】
【請求項１】  コンテナ供給装置を介して液体をコンテナからアキュムレータ内に供給する方法において、
アキュムレータ内の液体が第１の所定の仕様条件を満足するか否かを決定する工程と、
コンテナをコンテナ供給装置内に装填することを促す信号を発生する工程と、
コンテナ供給装置を開放してコンテナを当該コンテナ供給装置内に装填可能な状態にする工程と、
コンテナをコンテナ供給装置内に装填する工程と、
コンテナ供給装置を閉鎖する工程と、
コンテナ供給装置を係止してコンテナを当該コンテナ供給装置内に固定する工程と、
液体をコンテナからアキュムレータ内に供給する工程とから成る方法。
【請求項２】  液体をコンテナからアキュムレータ内に供給する供給装置において、
液体をアキュムレータ内に供給するためのコンテナと、
コンテナから液体を受容するためのアキュムレータと、
アキュムレータの第１の所定の仕様条件を決定する第１のセンサーと、
コンテナをコンテナ・キャリヤの中に装填するための第１の供給機構と、
コンテナの中の液体をアキュムレータの中に供給するための第２の供給機構と、
コンテナ・キャリヤを放出するための放出機構と、
供給装置内にコンテナを固定するための係止機構とから成る供給装置。
【請求項３】  液体を収容するシール状態のコンテナおよび当該コンテナから液体を受容するためのアキュムレータにより構成されている液体供給装置における開口機構において、
コンテナを液体供給装置の中に装填する際に、コンテナのシール部を穴あけして第１の開口部を形成するように配置された第１の穴あけ装置と、
コンテナを液体供給装置の中に装填する際に、コンテナのシール部を穴あけして第２の開口部を形成するように配置された第２の穴あけ装置と、
第１の穴あけ装置および第２の穴あけ装置の間を接続する状態で配置されて、コンテナを液体供給装置の中に装填する際に、第１の開口部および第２の開口部の間に割れ目を形成してこの割れ目を拡大するための分離機構とから成る開口機構。
【請求項４】  液体を収容するコンテナのシール部を開口して、当該液体をアキュムレータの中に供給するための方法において、
コンテナをコンテナ供給装置の中に装填する工程と、
コンテナ供給装置を閉鎖する工程と、
コンテナ供給装置を閉鎖する時に、コンテナのシール部を穴あけすることにより当該シール部に第１の開口部を形成する工程と、
コンテナ供給装置を閉鎖する時に、コンテナのシール部を穴あけすることにより当該シール部に第２の開口部を形成する工程と、
コンテナ供給装置を閉鎖する時に、第１の開口部および第２の開口部の間に割れ目を形成する工程と、
コンテナ供給装置を閉鎖する時に、割れ目を拡大する工程とから成る方法。
【請求項５】  計量チューブを介してアキュムレータから気化装置内に液体を供給する方法において、
気化装置を排気する工程と、
計量チューブを排気する工程と、
液体をアキュムレータから計量チューブの中に第１の流速で供給する工程と、
液体を計量チューブから気化装置の中に第２の流速で供給する工程とから成り、当該第２の流速が第１の流速よりも遅い方法。
【請求項６】  計量チューブを介してアキュムレータから気化装置内に液体を供給する装置において、
液体を計量チューブに供給するためのアキュムレータと、
液体をアキュムレータから受容して、当該液体を気化装置に供給するための計量チューブと、
計量された容積の液体を計量チューブから受容するための気化装置と、
装置内の流体の方向および流速を制御する複数のバルブと、
液体をアキュムレータから計量チューブに第１の流速で供給するための第１の供給機構と、
液体を計量チューブから気化装置に第２の流速で供給するための第２の供給機構とから成り、当該第２の流速が第１の流速よりも遅い装置。
【手続補正書】
【提出日】平成21年12月14日(2009.12.14)
【手続補正１】
【補正対象書類名】明細書
【補正対象項目名】０００５
【補正方法】変更
【補正の内容】
【０００５】
後方散乱した電子の経路、従って焦点外放射線の経路は、Ｘ線管内及びその周囲の特定の電圧ポテンシャル構成による影響を受ける場合がある。例えば二極型構成では、電気的接地に対してカソードは負電位に保たれ、アノードは正電位に保たれ、これにより、カソードとアノードとの間の空隙に跨がって電圧ポテンシャル降下及び電場が成立する。この構成では、アノードから初期的に後方散乱した電子の大部分が、アノードの静電ポテンシャルによってアノードに引き戻される。一方、単極型構成では、アノード及び真空容器の両方が電気的に接地されており、カソードは大きい負電位に保たれている。この単極型構成では、電気的に接地されているアノード及びフレームの吸引力は、二極型構成のＸ線管の正に帯電したアノード及びフレームの吸引力よりも小さい。従って、単極型構成では一般的には、さらに多くの後方散乱した電子を収集して、アノードに戻らないようにすることができ、これによりアノードの動作性能を著しく高めると共に、透過窓を通って出る焦点外Ｘ線の量を減少させることができる。
【特許文献１】米国特許出願公開第２００４／０２２３５８８号
【手続補正書】
【提出日】平成23年7月11日(2011.7.11)
【手続補正１】
【補正対象書類名】特許請求の範囲
【補正対象項目名】全文
【補正方法】変更
【補正の内容】
【特許請求の範囲】
【請求項１】
図２９Ｂに記載のアミノ酸配列を含んでなる単離されたタンパク質。
【請求項２】
請求項１に記載のタンパク質をコードするヌクレオチド配列を含んでなる核酸。
【請求項３】
請求項１のタンパク質をコードするヌクレオチド配列を含んでなり、該ヌクレオチド配列はヒト細胞中での発現のために最適化されたコドンを含む核酸。
【請求項４】
請求項３に記載の核酸であって、前記核酸が、図２９Ｃに記載のヌクレオチド配列を含んでなる核酸。
【請求項５】
請求項２〜４の何れか１項に記載の核酸を含んでなるベクター。
【請求項６】
請求項１に記載のタンパク質、または請求項２〜４の何れか１項に記載の少なくとも一つの核酸と、キャリアとを含有してなるワクチン組成物。
【請求項７】
哺乳動物に免疫応答を誘導するための医薬の製造における、前記哺乳動物に免疫応答を誘導するのに十分な量の請求項１に記載のタンパク質、および／または請求項２〜４の何れか１項に記載の少なくとも一つの核酸の使用。
【手続補正書】
【提出日】平成23年6月3日(2011.6.3)
【手続補正１】
【補正対象書類名】特許請求の範囲
【補正対象項目名】全文
【補正方法】変更
【補正の内容】
【特許請求の範囲】
【請求項１】
被記録媒体に対して一方の方向と該一方の方向とは反対の方向との双方向に走査しつつ記録を行う液体吐出記録ヘッドにおいて、
前記一方の方向と交差する方向に複数の吐出口が配設された吐出口列を複数備え、
複数の前記吐出口列は前記一方の方向に沿ってこの順に配列される第１、第２、第３及び第４の吐出口列を含み、
前記第１の吐出口列と前記第４の吐出口列からは第１の種類のインクが吐出され、
前記第２の吐出口列と前記第３の吐出口列からは第２の種類のインクが吐出され、
前記第２の吐出口列と前記第３の吐出口列との間隔は、前記第１の吐出口列と前記第２の吐出口列との間隔および前記前記第３の吐出口列と前記第４の吐出口列との間隔よりも小さいことを特徴とする液体吐出記録ヘッド。
【請求項２】
前記第２の種類のインクはイエローインクであることを特徴とする請求項１に記載の液体吐出記録ヘッド。
【請求項３】
前記第１、前記第２、前記第３及び前記第４の吐出口列は、同一のオリフィスプレートに設けられていることを特徴とする請求項１または２に記載の液体吐出記録ヘッド。
【請求項４】
前記第１、前記第２、前記第３及び前記第４の吐出口列から液体を吐出するためのエネルギを発生する複数のエネルギ発生素子が、共通の基板に設けられていることを特徴とする請求項１ないし請求項３のいずれか１項に記載の液体吐出記録ヘッド。
【手続補正２】
【補正対象書類名】明細書
【補正対象項目名】０００８
【補正方法】変更
【補正の内容】
【０００８】
上述の課題を解決するために、本発明の液体吐出記録ヘッドは、被記録媒体に対して一方の方向と該一方の方向とは反対の方向との双方向に走査しつつ記録を行う液体吐出記録ヘッドにおいて、前記一方の方向と交差する方向に複数の吐出口が配設された吐出口列を複数備え、複数の前記吐出口列は前記一方の方向に沿ってこの順に配列される第１、第２、第３及び第４の吐出口列を含み、前記第１の吐出口列と前記第４の吐出口列からは第１の種類のインクが吐出され、前記第２の吐出口列と前記第３の吐出口列からは第２の種類のインクが吐出され、前記第２の吐出口列と前記第３の吐出口列との間隔は、前記第１の吐出口列と前記第２の吐出口列との間隔および前記前記第３の吐出口列と前記第４の吐出口列との間隔よりも小さいことを特徴とする。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】削除
【補正の内容】
【手続補正８】
【補正対象書類名】明細書
【補正対象項目名】００１４
【補正方法】削除
【補正の内容】
【手続補正９】
【補正対象書類名】明細書
【補正対象項目名】００１５
【補正方法】削除
【補正の内容】
【手続補正１０】
【補正対象書類名】明細書
【補正対象項目名】００１６
【補正方法】削除
【補正の内容】
【手続補正１１】
【補正対象書類名】明細書
【補正対象項目名】００１７
【補正方法】削除
【補正の内容】
【手続補正１２】
【補正対象書類名】明細書
【補正対象項目名】００２２
【補正方法】変更
【補正の内容】
【００２２】
以上説明したように、本発明によれば、所望の高解像度のカラー画像を得ることが可能となる。また、記録ヘッドの走査方向の幅を小さくすることができるとともに、往復印字においても色ムラの少ない高速な印字を容易に行うことができる。
【手続補正書】
【提出日】平成23年10月19日(2011.10.19)
【手続補正１】
【補正対象書類名】明細書
【補正対象項目名】発明の名称
【補正方法】変更
【補正の内容】
【発明の名称】おむつ
【手続補正２】
【補正対象書類名】特許請求の範囲
【補正対象項目名】全文
【補正方法】変更
【補正の内容】
【特許請求の範囲】
【請求項１】
横方向中心線を有するおむつであって、
前方腰部区域と、
後方腰部区域と、
前記前方腰部区域と前記後方腰部区域との間に設けられた股部区域と、
前記前方腰部区域および前記後方腰部区域の各側縁部に設けられたサイドパネルであって、少なくとも一対の前方のサイドパネルまたは後方のサイドパネルは、緩慢に回復するエラストマーおよび従来のエラストマーを含む伸縮性領域を有し、前記緩慢に回復するエラストマーは前記従来のエラストマーよりも、正規化された除荷力および伸長後歪みがより大きいようなサイドパネルと、
を備え、
前記前方腰部区域および前記後方腰部区域は結合されて腰部開口部および脚部開口部を形成する、おむつ。
【請求項２】
前記伸縮性領域は、０．０２ｍｍ〜２ｍｍの範囲内の幅を有する線状の伸縮性領域である、請求項１記載のおむつ。
【請求項３】
前記伸縮性領域は、０．０２ｍｍ〜２ｍｍの範囲内の幅を有する曲線状の伸縮性領域である、請求項１記載のおむつ。
【請求項４】
前記伸縮性領域は、２〜４０ｍｍの範囲内の幅の１または複数のバンドを有する、請求項１記載のおむつ。
【請求項５】
前記伸縮性領域は、前記横方向中心線に対し−７０°から＋７０°の範囲内の角度で傾斜した向きで配置される、請求項２乃至４のいずれか一項に記載のおむつ。
【請求項６】
前記伸縮性領域は列に並ぶよう設けられる、請求項２または３記載のおむつ。
【請求項７】
前記伸縮線領域の各列は均一な間隔で離間して配置される、請求項６記載のおむつ。
【請求項８】
前記伸縮線領域の各列は不均一な間隔で離間して配置される、請求項６記載のおむつ。
【請求項９】
前記サイドパネルは、前記おむつの長手方向縁部の近傍にある上部領域および前記おむつの前記長手方向縁部から離間した下部領域を有する伸縮性領域を有し、前記脚部開口部を形成するため前記上部領域はほぼ長方形形状であるとともに前記下部領域はほぼ三角形形状である、請求項１乃至８のいずれか一項に記載のおむつ。
【請求項１０】
前記伸縮性領域は列に並ぶよう設けられており、
前記サイドパネルは、前記おむつの長手方向縁部の近傍にある上部領域および前記おむつの前記長手方向縁部から離間した下部領域を有する伸縮性領域を有し、前記脚部開口部を形成するため前記上部領域はほぼ長方形形状であるとともに前記下部領域はほぼ三角形形状であり、
前記伸縮性領域の列は、前記上部領域内および前記下部領域内で異なる角度で配置される、請求項２または３記載のおむつ。
【請求項１１】
前記伸縮性領域は列に並ぶよう設けられており、
前記サイドパネルは、前記おむつの長手方向縁部の近傍にある上部領域および前記おむつの前記長手方向縁部から離間した下部領域を有する伸縮性領域を有し、前記脚部開口部を形成するため前記上部領域はほぼ長方形形状であるとともに前記下部領域はほぼ三角形形状であり、
前記伸縮性領域の列は、前記上部領域内および前記下部領域内でその大部分が横方向に並ぶよう配置される、請求項２または３記載のおむつ。
【請求項１２】
前記上部領域は前記緩慢に回復するエラストマーを有し、前記下部領域は前記従来のエラストマーを有する、請求項９乃至１１のいずれか一項に記載のおむつ。
【請求項１３】
前記上部領域はその大部分が前記緩慢に回復するエラストマーを有し、前記下部領域はその大部分が前記従来のエラストマーを有する、請求項１２記載のおむつ。
【請求項１４】
前記緩慢に回復するエラストマーは、
ａ）３７℃で０．０４Ｎ／ｍｍ２を超える正規化された除荷力を示し、
ｂ）２２℃で４００％の歪みから１５秒回復した後、少なくとも２０％の伸長後歪みを示す、請求項１乃至１３のいずれか一項に記載のおむつ。
【請求項１５】
前記緩慢に回復するエラストマーは、スチレン−イソプレン−スチレンのコポリマー、脂環式炭化水素樹脂、および鉱油を含むエラストマー組成物を有する、請求項１乃至１４のいずれか一項に記載のおむつ。
【請求項１６】
前記おむつは、機械的締結具と、前記前方腰部区域および前記後方腰部区域を結合するためのランディング領域とを有するテープ付きおむつである、請求項１乃至１５のいずれか一項に記載のおむつ。
【請求項１７】
前記伸縮性領域は、前記前方のサイドパネルおよび前記後方のサイドパネルの両方に設けられている、請求項１乃至１６のいずれか一項に記載のおむつ。
【請求項１８】
前記おむつは、再取付可能な締結具または再取付不可能な締結具により前記サイドパネルが結合されるようなパンツ型おむつである、請求項１乃至１７のいずれか一項に記載のおむつ。
【手続補正書】
【提出日】平成23年7月19日(2011.7.19)
【手続補正１】
【補正対象書類名】特許請求の範囲
【補正対象項目名】全文
【補正方法】変更
【補正の内容】
【特許請求の範囲】
【請求項１】
一般式
RfO〔CF(CF3)CF2O〕mRf′                              〔I〕
(ここで、Rf、Rf′は炭素数1〜5のパーフルオロ低級アルキル基であり、mは2〜200の整数である)で表わされるパーフルオロポリエーテル油100重量部に対し、乳化剤として一般式
CnF2n+1CH2CH2P(O)(OM1)(OM2)                             〔II〕
(ここで、M1は水素原子またはアンモニウム塩であり、M2はアンモニウム塩であり、nは1〜6の整数である)で表わされるパーフルオロアルキルエチルホスホン酸アンモニウム塩0.01〜30重量部を用いて形成させたエマルジョン。
【請求項２】
乳化剤が水性溶液または有機溶媒溶液として用いられた請求項１記載のエマルジョン。
【請求項３】
固形分濃度が0.01〜30重量％の水性溶液として調製された請求項１記載のエマルジョン。
【手続補正書】
【提出日】平成23年1月18日(2011.1.18)
【手続補正１】
【補正対象書類名】特許請求の範囲
【補正対象項目名】全文
【補正方法】変更
【補正の内容】
【特許請求の範囲】
【請求項１】
転写紙の全領域よりも広い領域に対応した画像情報に従い前記転写紙に余白の無い画像を形成する画像形成装置において、
像担持体と、
前記像担持体上に形成されたトナー像を被転写体に転写する転写手段と、
前記像担持体上の前記トナー像が前記転写手段に進入するときの前記トナー像の先端部であって、前記転写紙の全領域よりも外側の領域に対応する前記トナー像の先端部について、前記進入する方向である搬送方向の下流にいくに従い線型に或いは段階的にトナー像の量を増大させるようトナー像の量を変更する手段を備えることを特徴とする画像形成装置。
【請求項２】
前記先端部のトナー像は、前記搬送方向において、前記転写紙の先端位置よりも上流に対応するトナー像であることを特徴とする請求項１に記載の画像形成装置。
【請求項３】
前記画像情報の前記先端部に対応する部分の濃度が前記搬送方向に対して垂直な方向において異なる場合、前記トナー像の量を変更する手段が前記線型に或いは段階的にトナー像の量を増大させるようトナー像の量を変更するうえで、前記濃度が高い部分は前記濃度が低い部分よりも前記搬送方向における印字率の変化が大きいことを特徴とする請求項１または２に記載の画像形成装置。
【請求項４】
前記トナー像の量を変更する手段は、前記先端部に対応する前記画像情報について、前記搬送方向において印字率が所定値以上で増加する場合に、前記所定値以上で増加する位置よりも上流側に対応する位置に画像情報を追加することを特徴とする請求項１に記載の画像形成装置。
【請求項５】
前記画像情報の前記先端部に対応する部分において前記搬送方向に対して垂直な方向における中心位置に対し一方の側における増加する印字率が反対側における増加する印字率よりも大きい場合に、前記一方の側における前記追加する画像情報の印字率の前記一方の側の増加する印字率に対する割合は、前記反対側における前記追加する画像情報の印字率の前記反対側の増加する印字率に対する割合よりも小さいことを特徴とする請求項４に記載の画像形成装置。
【請求項６】
前記トナー像は、複数色のトナー像であり、
前記トナー像の量を変更する手段は、前記搬送方向において各色トナー像の進入方向先端側の各色画像開始位置が重ならないようにシフトさせた各位置から、線型に或いは段階的にトナー像の量を増大させることを特徴とする請求項１に記載の画像形成装置。
【手続補正２】
【補正対象書類名】明細書
【補正対象項目名】００２６
【補正方法】変更
【補正の内容】
【００２６】
上記課題を解決するため、本発明の一態様は、転写紙の全領域よりも広い領域に対応した画像情報に従い前記転写紙に余白の無い画像を形成する画像形成装置において、像担持体と、前記像担持体上に形成されたトナー像を被転写体に転写する転写手段と、前記像担持体上の前記トナー像が前記転写手段に進入するときの前記トナー像の先端部であって、前記転写紙の全領域よりも外側の領域に対応する前記トナー像の先端部について、前記進入する方向である搬送方向の下流にいくに従い線型に或いは段階的にトナー像の量を増大させるようトナー像の量を変更する手段を備える。
【手続補正３】
【補正対象書類名】明細書
【補正対象項目名】００２７
【補正方法】変更
【補正の内容】
【００２７】
ここで、前記先端部のトナー像は、前記搬送方向において、前記転写紙の先端位置よりも上流に対応するトナー像であってよい、また、前記画像情報の前記先端部に対応する部分の濃度が前記搬送方向に対して垂直な方向において異なる場合、前記トナー像の量を変更する手段が前記線型に或いは段階的にトナー像の量を増大させるようトナー像の量を変更するうえで、前記濃度が高い部分は前記濃度が低い部分よりも前記搬送方向における印字率の変化が大きくてよい。また、前記トナー像の量を変更する手段は、前記先端部に対応する前記画像情報について、前記搬送方向において印字率が所定値以上で増加する場合に、前記所定値以上で増加する位置よりも上流側に対応する位置に画像情報を追加することができる。また、前記画像情報の前記先端部に対応する部分において前記搬送方向に対して垂直な方向における中心位置に対し一方の側における増加する印字率が反対側における増加する印字率よりも大きい場合に、前記一方の側における前記追加する画像情報の印字率の前記一方の側の増加する印字率に対する割合は、前記反対側における前記追加する画像情報の印字率の前記反対側の増加する印字率に対する割合よりも小さくてよい。また、前記トナー像は、複数色のトナー像であってよく、前記トナー像の量を変更する手段は、前記搬送方向において各色トナー像の進入方向先端側の各色画像開始位置が重ならないようにシフトさせた各位置から、線型に或いは段階的にトナー像の量を増大させることができる。
【手続補正４】
【補正対象書類名】明細書
【補正対象項目名】００２８
【補正方法】削除
【補正の内容】
【手続補正５】
【補正対象書類名】明細書
【補正対象項目名】００２９
【補正方法】削除
【補正の内容】